(57)【要約】【課題】空気調和機の実際の運転において、消費エネルギ削減の数値を設定することによって消費エネルギ量を確実に削減すること。【解決手段】空気調和機の能力を制御する能力制御装置１０１と、空気調和機の運転状態を設定する運転設定手段１０４と、設定された運転状態で空気調和機が消費する消費エネルギに制限を加える削減エネルギ量設定手段１０５と、削減エネルギ量設定手段１０５により制限の加えられた消費エネルギとなるように運転設定手段１０４で設定された設定値を変更する設定変更手段１０３と、を有し、削減エネルギ量設定手段１０５は、運転状態での消費エネルギに対して削減するエネルギ量を設定するものであり、設定変更手段１０３は、削減エネルギ量設定手段１０５により設定された削減エネルギ量だけ消費エネルギを削減するように運転設定手段１０４による設定値を変更すること。【選択図】図１
2011007422.tif 000002
【特許請求の範囲】
【請求項１】
室内の冷房、暖房、除湿、加湿、送風、赤外線放射、又は空気清浄を行う空気調和機において、
前記空気調和機の能力を制御する能力制御装置と、前記空気調和機の運転状態を設定する運転設定手段と、前記設定された運転状態で空気調和機が消費する消費エネルギに制限を加える削減エネルギ量設定手段と、前記削減エネルギ量設定手段により制限の加えられた消費エネルギとなるように前記運転設定手段で設定された設定値を変更して前記能力制御装置へ出力する設定変更手段と、を有し、
前記削減エネルギ量設定手段は、前記運転設定手段で設定された運転状態での前記消費エネルギに対して削減するエネルギ量を設定するものであり、
前記設定変更手段は、前記削減エネルギ量設定手段により設定された削減エネルギ量だけ前記消費エネルギを削減するように前記運転設定手段による設定値を変更する
ことを特徴とする空気調和機。
【請求項２】
請求項１において、
前記運転設定手段で設定された前記設定値に基づいて所定時間内の消費エネルギ量を予測する消費エネルギ予測手段をさらに有し、
前記設定変更手段は、前記消費エネルギ予測手段で予測された所定時間内の消費エネルギ量から、前記削減エネルギ量設定手段で設定した削減エネルギ量だけ前記消費エネルギを削減するように前記運転設定手段による設定値を変更する
ことを特徴とする空気調和機。
【請求項３】
請求項１において、
室内及び／又は室外の空気温度を含めた環境情報を検出する環境情報検出手段と、前記運転設定手段からの前記設定値と前記環境情報検出手段からの前記環境情報とに基づいて所定時間内の消費エネルギ量を予測する消費エネルギ予測手段と、をさらに有し、
前記設定変更手段は、前記消費エネルギ予測手段で予測された所定時間内の消費エネルギ量から、前記削減エネルギ量設定手段で設定した削減エネルギ量だけ前記消費エネルギを削減するように前記運転設定手段による設定値を変更する
ことを特徴とする空気調和機。
【請求項４】
請求項３において、
前記運転設定手段による前記設定値と前記環境情報検出手段による前記環境情報とに基づいて予測された消費エネルギ量の履歴を格納するデータベースをさらに有し、
前記消費エネルギ予測手段は、少なくとも前記運転設定手段からの前記設定値と前記データベースからの前記履歴の情報とを用いて所定時間内の消費エネルギ量を予測する
ことを特徴とする空気調和機。
【請求項５】
請求項１ないし４のいずれか１つの請求項において、
前記空気調和機が圧縮機を有する場合に、前記運転設定手段は前記圧縮機の回転数を設定し、前記設定変更手段は、前記削減エネルギ量設定手段で設定した削減エネルギ量だけ前記消費エネルギを削減するように前記圧縮機の回転数を変更する
ことを特徴とする空気調和機。
【請求項６】
請求項１ないし４のいずれか１つの請求項において、
前記運転設定手段は前記空気調和機への入力電力量を設定し、前記設定変更手段は、前記削減エネルギ量設定手段で設定した削減エネルギ量だけ前記消費エネルギを削減するように前記空気調和機への入力電力量を変更する
ことを特徴とする空気調和機。
【請求項７】
請求項２、３または４において、
前記運転設定手段により設定される前記運転状態、前記削減エネルギ量設定手段により設定される前記削減エネルギ量、前記消費エネルギ予測手段により予測する消費エネルギ量、の内で少なくとも前記消費エネルギ量と前記削減エネルギ量を表示する表示部を、前記空気調和機のリモコンに備える
ことを特徴とする空気調和機。
【請求項８】
請求項１、２、３または４において、
前記運転設定手段により設定される前記運転状態と前記削減エネルギ量設定手段により設定される前記削減エネルギ量とを入力する入力部を、前記空気調和機のリモコンに備える
ことを特徴とする空気調和機。
【発明の詳細な説明】
【技術分野】
【０００１】
本発明は、家庭用の空気調和機であって、特に消費エネルギを削減する機能を備えた空気調和機に関するものである。
【背景技術】
【０００２】
家庭の消費電力量に占める家庭用の空気調和機の消費電力量の割合は大きく、地球温暖化問題や資源の枯渇などに端を発する省エネルギの議論において、家庭用の空気調和機の消費電力量の削減は重要となってきた。そこで、確実に消費電力量を削減する機能を備えた空気調和機が求められるようになってきた。
【０００３】
空気調和機に関する従来の省エネルギ技術として、例えば特許文献１や特許文献２に示すように、使用可能な最大の電力量を設定することで、設定された電力量に収まるように設定室温を自動で変更するものであった。
【先行技術文献】
【特許文献】
【０００４】
【特許文献１】特開平６−１７４２８４号公報
【特許文献２】実願平１−５５８０４号（実開平２−１４７７４４号公報）のマイクロフィルム
【発明の概要】
【発明が解決しようとする課題】
【０００５】
ところで、様々な消費電力量が合算されて示される家庭においては、空気調和機に消費される電力量を正確に把握することができず、空気調和機において、省エネルギとなるような電力量を算出して使用可能な最大の電力量を設定することは難しく、消費エネルギの確実な削減は困難であるという事情があった。具体的に云えば、上記特許文献１に開示の技術は、消費エネルギの上限値を設定して、その上限値を超えないような空気温度設定値にて空気調和機を運転制御するものであるが、事前に設定する使用可能な最大の電力量より、実際に使用した電力量が小さい場合、消費エネルギの削減につながらないという課題があった。
【０００６】
本発明の目的は、上記課題を解決するために、消費エネルギの上限値を設定するのではなくて、消費エネルギを削減する数値を設定することによって確実に消費エネルギを削減できるように運転制御する空気調和機を提供するにある。
【課題を解決するための手段】
【０００７】
前記課題を解決するために、本発明は主として次のような構成を採用する。  
室内の冷房、暖房、除湿、加湿、送風、赤外線放射、又は空気清浄を行う空気調和機において、前記空気調和機の能力を制御する能力制御装置と、前記空気調和機の運転状態を設定する運転設定手段と、前記設定された運転状態で空気調和機が消費する消費エネルギに制限を加える削減エネルギ量設定手段と、前記削減エネルギ量設定手段により制限の加えられた消費エネルギとなるように前記運転設定手段で設定された設定値を変更して前記能力制御装置へ出力する設定変更手段と、を有し、
前記削減エネルギ量設定手段は、前記運転設定手段で設定された運転状態での前記消費エネルギに対して削減するエネルギ量を設定するものであり、前記設定変更手段は、前記削減エネルギ量設定手段により設定された削減エネルギ量だけ前記消費エネルギを削減するように前記運転設定手段による設定値を変更する構成とする。
【０００８】
また、前記空気調和機において、前記運転設定手段で設定された前記設定値に基づいて所定時間内の消費エネルギ量を予測する消費エネルギ予測手段をさらに有し、前記設定変更手段は、前記消費エネルギ予測手段で予測された所定時間内の消費エネルギ量から、前記削減エネルギ量設定手段で設定した削減エネルギ量だけ前記消費エネルギを削減するように前記運転設定手段による設定値を変更する構成とする。
【０００９】
また、前記空気調和機において、室内及び／又は室外の空気温度を含めた環境情報を検出する環境情報検出手段と、前記運転設定手段からの前記設定値と前記環境情報検出手段からの前記環境情報とに基づいて所定時間内の消費エネルギ量を予測する消費エネルギ予測手段と、をさらに有し、前記設定変更手段は、前記消費エネルギ予測手段で予測された所定時間内の消費エネルギ量から、前記削減エネルギ量設定手段で設定した削減エネルギ量だけ前記消費エネルギを削減するように前記運転設定手段による設定値を変更する構成とする。さらに、前記運転設定手段による前記設定値と前記環境情報検出手段による前記環境情報とに基づいて予測された消費エネルギ量の履歴を格納するデータベースをさらに有し、前記消費エネルギ予測手段は、少なくとも前記運転設定手段からの前記設定値と前記データベースからの前記履歴の情報とを用いて所定時間内の消費エネルギ量を予測する構成とする。
【発明の効果】
【００１０】
本発明によれば、赤外線暖房器具、扇風機、室内機及び室外機からなるヒートポンプ式空気調和機、等を含めた空気調和機の実際の運転において、消費エネルギ削減の数値を設定することによって消費エネルギ量を確実に削減することができる。
【図面の簡単な説明】
【００１１】
【図１】本発明の第１の実施形態に係る空気調和機における消費エネルギ削減を果たすための構成例を示す図である。
【図２】第１の実施形態に係る空気調和機における消費エネルギ削減を果たすための動作を示すフローチャートである。
【図３】第１の実施形態に係る空気調和機において、削減エネルギ量設定によって運転設定を変更する態様を説明する図である。
【図４】本発明の第２の実施形態に係る空気調和機における消費エネルギ削減を果たすための構成例を示す図である。
【図５】第２の実施形態に係る空気調和機における消費エネルギ削減を果たすための動作を示すフローチャートである。
【図６】第２の実施形態に係る空気調和機において、運転設定手段による運転設定の表示、消費エネルギ予測手段による消費エネルギ量の表示、削減エネルギ量設定手段による削減エネルギ量の表示を示す図である。
【図７】本発明の第３の実施形態に係る空気調和機における消費エネルギ削減を果たすための構成例を示す図である。
【図８】第３の実施形態に係る空気調和機における消費エネルギ削減を果たすための動作を示すフローチャートである。
【図９】第３の実施形態に係る空気調和機において、運転設定手段による運転設定の表示、消費エネルギ予測手段による消費エネルギ量の表示、削減エネルギ量設定手段による削減エネルギ量の表示を示す図である。
【図１０】本発明の第４の実施形態に係る空気調和機における消費エネルギ削減を果たすための構成例を示す図である。
【図１１】本発明の実施形態に係る空気調和機に備えられたリモコンの入力部を示す図である。
【発明を実施するための形態】
【００１２】
本発明の第１の実施形態〜第６の実施形態に係る空気調和機について、図１〜図１１を参照しながら以下詳細に説明する。図面において、１００は空気調和機、１０１は空気調和機本体、１０２は能力制御装置、１０３は設定変更手段、１０４は運転設定手段、１０５は削減エネルギ量設定手段、１０６は消費エネルギ予測手段、１０７は環境情報検出手段、１０８はデータベース、６０１は表示部、９０１は表示部、１１０１は入力部、をそれぞれ表す。
【００１３】
「第１の実施形態」
本発明の第１の実施形態に係る空気調和機について、図１、図２及び図３を用いて以下説明する。図１に示すように、室内の冷房、暖房、除湿、加湿、送風、赤外線放射などを行う空気調和機１００は、空気調和機本体１０１、能力制御装置１０２、設定変更手段１０３、運転設定手段１０４、削減エネルギ量設定手段１０５、からなり、その空気調和機本体１０１が能力制御装置１０２からの入力により運転を制御されている。能力制御装置１０２は、設定変更手段１０３からの入力に基づき、空気調和機１００の運転を制御している。削減エネルギ量設定手段１０５は、空気調和機１００の操作者が設定する所定の時間内の消費エネルギの削減量を設定変更手段１０３へ入力する。運転設定手段１０４は、空気調和機１００の操作者により設定された運転の設定（具体的な設定内容については後述する）を設定変更手段１０３へ入力する。
【００１４】
ここで、空気調和機１００の一構成要素である設定変更手段１０３は、削減エネルギ量設定手段１０５から空気調和機１００の操作者により入力される消費エネルギの削減量（例えば、３０％削減、または１００Ｗｈ）と、運転設定手段１０４から空気調和機１００の操作者により設定される運転のＯＮ／ＯＦＦ、室温、湿度、消費電力量、運転時間などの空気調和機１００の運転の設定とに基づいて、設定された空気調和機１００の運転を所定の時間実施した場合に消費するエネルギ量から設定された消費エネルギの削減量を引いた消費可能なエネルギ量で所定の時間運転するように所定の時間内の設定を決定し（図３の説明で後述するように、赤外線暖房器具の例で、１０分間１５００Ｗで運転した後に１０分間１２００Ｗ運転し続いて１０分間９０Ｗ運転をするように設定変更し）、能力制御装置１０２へ入力する。
【００１５】
次に、第１の実施形態に係る空気調和機における消費エネルギ削減を果たすための動作について説明する。図２において、空気調和機１００の操作者は運転設定手段１０４から空気調和機１００の運転を設定し（後述する図３の例で１５００Ｗ）、設定変更手段１０３がその設定入力値を読み込む（ステップ２０１）。次に、空気調和機１００の操作者は削減エネルギ量設定手段１０５から削減するエネルギ量を設定し、設定変更手段１０３がその設定入力値を読み込む（ステップ２０２）。
【００１６】
そして、設定変更手段１０３は、運転設定手段１０４により入力された空気調和機１００の運転の設定（後述する図３の例で１５００Ｗ）と、削減エネルギ量設定手段１０５により入力された所定の時間（たとえば３０分）で削減するエネルギ量に基づき、空気調和機１００の運転の設定を変更し（図３の例で１０分毎に１５００Ｗ→１２００Ｗ→９００Ｗ）、変更した設定を能力制御装置１０２へ入力する（ステップ２０３）。変更した設定で所定の時間運転した時点で、手順２０１へもどり、同様の動作を繰り返す（ステップ２０４）。
【００１７】
ここで、空気調和機１００は、室内機と室外機により構成される家庭用の空気調和機、室内機のみで構成される冷房専用空気調和機、室内機のみで構成される暖房専用空気調和機、赤外線暖房器具、除湿機、加湿器、扇風機、床暖房、空気清浄機など、対流、伝導、放射、蒸発により人体と環境の間で熱交換を行う機器または空気の加湿、空気の除湿、空気の清浄を行う機器を指称する。
【００１８】
次に、第１の実施形態の具体例として、室内機のみにより構成される家庭用の赤外線暖房器具を挙げて説明する。運転設定手段１０４は、操作者が入力する空気調和機１００のＯＮ／ＯＦＦの設定、消費電力量、及び設定運転時間などを設定変更手段１０３へ出力する。
【００１９】
また、操作者は削減エネルギ量設定手段１０５から削減させるエネルギ量を入力し、削減エネルギ量設定手段１０５は操作者による入力を設定変更手段１０３へ出力する。ここで、操作者が入力する削減させるエネルギ量は、運転設定手段１０４での設定値で所定の時間運転した場合の消費電力量から削減させるエネルギ量の割合であり、例えば消費エネルギ量を３０％削減させる場合、操作者は３０％と削減エネルギ量設定手段１０５へ入力する。このように、第１の実施形態では、従来例のような消費エネルギの上限値を設定するのではなくて、操作者が一旦設定した運転設定値（例えば、消費エネルギを直接的に表現する数値である１５００Ｗ運転を設定）に対して、直に削減量を表す数値（３０％）を設定するものである。
【００２０】
設定変更手段１０３は、運転設定手段１０４からの入力と、削減エネルギ量設定手段１０５からの入力とに基づき、所定の時間（例えば３０分）運転設定手段１０４からの出力で運転した場合に消費するエネルギ量より削減エネルギ量設定手段１０５からの出力による削減させるエネルギ量だけ少ないエネルギ量で、所定の時間運転するように、運転設定手段１０４からの出力を変更し、能力制御装置１０２へ出力する。
【００２１】
能力制御装置１０２は、空気調和機１００の運転を制御する装置で、設定変更手段１０３からのＯＮ／ＯＦＦの設定、設定室温、設定運転時間、設定風向、設定風速などの設定条件の入力に基づき空気調和機１００を制御する。
【００２２】
図３に示すように、冬季の室温が１０℃の日中に、操作者が赤外線暖房器具を１５００Ｗで運転し、また、消費エネルギを２０％削減するように消費エネルギの削減を設定した場合、設定した電力量の１５００Ｗで運転した場合より２０％少ない消費エネルギで運転するように、始めの１０分間は１５００Ｗで運転し、次の１０分間は１２００Ｗで運転し、次の１０分間は９００Ｗで運転するように、今後３０分間の設定電力量を段階的に変更し、設定変更手段１０３は能力制御装置１０２へ出力する。このように、削減するエネルギ量を予め設定し、その設定に基づき今後３０分間（運転設定手段１０４による運転時間の設定値として３０分もあり得るので、３０分間で区切る例示）の運転を設定するため、設定したエネルギ量を確実に削減することが可能となる。
【００２３】
また、図３に示すような暖房運転のときに、人の温度変化の認知閾値は０．０１℃／秒であり、それより大きな変化率で設定室温を上昇させることで暖かさを感じることができ、また、それより小さな変化率で設定室温を下げる（１５００Ｗから１２００Ｗにする）ことで、設定室温が下がっていることに気付かれずに、消費電力量を確実に削減することが可能となる。さらに、削減するエネルギ量を削減する割合で設定する（例えば２０％削減）ため、空気調和機１００の消費電力量について詳しく知らない操作者であっても、削減するエネルギ量を簡単に設定することが可能である。
【００２４】
「第２の実施形態」
本発明の第２の実施形態に係る空気調和機について、図４、図５及び図６を用いて以下説明する。第２の実施形態の特徴は、図１に示す構成例に対して、所定の時間内に消費するエネルギ量を推定する消費エネルギ予測手段１０６を付加することである。
【００２５】
前述の第１の実施形態における運転設定手段１０４は、例示すると１５００Ｗというように直接、消費エネルギに結び付く設定を行うものが対象であったが（赤外線暖房器具では、操作者が１５００Ｗ、１０００Ｗ、又は５００Ｗという設定をする）、第２の実施形態では、空気調和機１００のＯＮ／ＯＦＦ、設定室温、設定風量、設定風速、運転時間などを操作者が設定する場合のように、消費エネルギに直結しないような設定を行うものが対象である。
【００２６】
第２の実施形態は、上述した運転設定の場合においても、消費エネルギ予測手段１０６を適用することによって、削減する消費エネルギ量を確実に削減することを可能にするものである。ここで、第２の実施形態の消費エネルギ予測手段１０６は、例えば、暖房時に２０℃に設定すれば、２０℃に対応した経過時間と消費電力との関係を示す特性グラフを有する運転モードを使用することを前提としている（検出した室温を利用するものではなくて）。このようにして、例えば、２４℃に暖房温度を設定すれば、当該温度に対応した特性グラフを有する運転モードを消費エネルギ予測手段１０６が採用するものである。
【００２７】
次に、第２の実施形態について、室内機のみの暖房専用空気調和機１００を例に説明する。図４に示すように、空気調和機本体１０１は、能力制御装置１０２からの入力により運転を制御されている。能力制御装置１０２は、設定変更手段１０３からの入力に基づき、空気調和機１００の運転を制御している。削減エネルギ量設定手段１０５は、空気調和機１００の操作者が設定する所定の時間内の消費エネルギの削減量（後述する図６の例で１００Ｗｈ）を設定変更手段１０３へ入力する。運転設定手段１０４は、空気調和機１００の操作者により設定された運転の設定（後述する図６の例で室温２４度、風速強）を消費エネルギ予測手段１０６および設定変更手段１０３へ入力する。
【００２８】
消費エネルギ予測手段１０６は、運転設定手段１０４から出力される空気調和機１００の運転のＯＮ／ＯＦＦ、設定室温、設定風量などから所定の時間内に消費するエネルギ量を予測し（後述する図６の例で１０００Ｗｈ）、設定変更手段１０３へ出力する。
【００２９】
ここで、設定変更手段１０３は、削減エネルギ量設定手段１０５から空気調和機１００の操作者により入力される消費エネルギの削減量（例、１００Ｗｈ）と、運転設定手段１０４から空気調和機１００の操作者により設定される運転のＯＮ／ＯＦＦ、設定室温、設定風量などの空気調和機１００の運転の設定（例、室温２４度、風速強）と、消費エネルギ予測手段１０６により予測される所定の時間内に消費するエネルギ量（例、１０００Ｗｈ）の情報とを用いて、設定された空気調和機１００の運転を所定の時間実施した場合に消費するエネルギ量から設定された消費エネルギの削減量を引いた消費可能なエネルギ量で所定の時間運転するように所定の時間内の設定を決定し（設定変更し）、能力制御装置１０２へ入力する。
【００３０】
次に、第２の実施形態に係る空気調和機における消費エネルギ削減を果たすための動作について説明する。図５において、空気調和機１００の操作者は運転設定手段１０４から空気調和機１００の運転を設定し、設定変更手段１０３がその設定値（図６の例で、室温２４℃、風速強、空調冷房）を読み込む（ステップ５０１）。次に、消費エネルギ予測手段１０６が運転設定手段１０４からの出力から、所定の時間内（例えば３０分）に消費するエネルギ量を予測（図６の例で、１時間あたり１０００Ｗｈ）する（ステップ５０２）。なお、消費エネルギ予測手段１０６による予測した消費エネルギは、例えば、運転設定２４℃で室温１０度の場合に、運転当初は大であるが時間経過とともに予測消費エネルギは小となるような運転態様を第２の実施形態では対象としている（第１の実施形態では例えば１５００Ｗの暖房運転であり、時間経過で消費エネルギは一定である）。
【００３１】
そして、設定変更手段１０３は、運転設定手段１０４により入力された空気調和機１００の運転の設定と、削減エネルギ量設定手段１０５により入力された削減するエネルギ量の情報（ステップ５０３）と、消費エネルギ予測手段１０６による消費するエネルギ量の予測と、を用いて、空気調和機１００の運転の設定を変更し（ステップ５０４）、変更した設定（例えば、室温を２４℃→２２℃→２０℃というように設定を自動的に変更）を能力制御装置１０２へ入力する（ステップ５０５）。変更した設定で所定の時間（たとえば３０分）運転した時点で、手順５０１へもどり、同様の動作を繰り返す。
【００３２】
冬季の室温が１０℃の日中に、操作者が室内機のみの暖房専用空気調和機１００を設定室温２４℃で運転するように運転設定手段１０４に入力し、また、消費エネルギを２０％削減するよう消費エネルギ削減に設定を入力した場合、２４℃の設定室温で所定の時間（例えば３０分間）運転した場合に消費するエネルギ量を消費エネルギ予測手段１０６が予測し、設定変更手段１０３へ出力する。
【００３３】
設定変更手段１０３では、消費エネルギを２０％削減するように、始めの１０分間を運転設定の温度である２４℃の設定室温で運転し、次の１０分間を２２℃の設定室温で運転するよう変更し、更に次の１０分間を２０℃の設定室温で運転するよう変更し、その変更した制御を能力制御装置１０２へ出力する。
【００３４】
このように、削減するエネルギ量を予め設定し（削減するエネルギ量が直に把握できるようなエネルギ値、例えば２０％削減を予め設定）、また今後３０分間で消費するエネルギ量を予測し、それらに基づき今後３０分間の運転を設定するため、設定したエネルギ量を確実に削減することが可能となる。
【００３５】
また、人の温度変化の認知閾値は０．０１℃／秒であり、それより大きな変化率で設定室温を上昇させることで暖かさを感じることができ、またそれより小さな変化率で設定室温を下げることで、設定室温が下がっていることを感じさせずに、消費電力量を確実に削減することが可能となる。
【００３６】
「第３の実施形態」
本発明の第３の実施形態に係る空気調和機について、図７、図８及び図９を用いて以下説明する。第３の実施形態の特徴は、図１に示す第１の実施形態の構成例との対比で、所定の時間内に消費するエネルギ量を推定する消費エネルギ予測手段１０６および環境情報を取得する環境情報検出手段１０７を付加すること、また、図４に示す第２の実施形態の構成例との対比で、環境情報を取得する環境情報検出手段１０７を付加することである。
【００３７】
第３の実施形態では、空気調和機１００のＯＮ／ＯＦＦ、設定室温、設定風量、設定風速、設定時間、加湿機能のＯＮ／ＯＦＦなどを操作者が設定する場合のように、消費エネルギに直結しないような設定を行うものが対象であり、さらに、第２の実施形態における消費エネルギ予測手段で用いた運転モード（暖房時に例えば２０℃設定であれば、経過時間と消費電力との対応関係を示すグラフが予め分かっていて、このグラフを使用するモード）を使用しないことを前提にしている。
【００３８】
第３の実施形態は、上述した運転設定の場合においても、消費エネルギ予測手段１０６と環境情報検出手段１０７を適用することによって、削減する消費エネルギ量を確実に削減することを可能にするものである。
【００３９】
ここで、環境情報検出手段１０７は、室内の空気温度、湿度、放射エネルギ、壁面温度、粉塵量、オゾン量、臭気、二酸化炭素濃度、室外の気温、湿度、放射エネルギ、壁面温度、気圧、風速などの室内外の環境情報を検出し、消費エネルギ予測手段１０６へ出力するものである。
【００４０】
図７に示すように、空気調和機本体１０１は、能力制御装置１０２からの入力により運転を制御されている。能力制御装置１０２は、設定変更手段１０３からの入力に基づき、空気調和機１００の運転を制御している。削減エネルギ量設定手段１０５は、空気調和機１００の操作者が設定する所定の時間内の消費エネルギの削減量を設定変更手段１０３へ入力する。運転設定手段１０４は、空気調和機１００の操作者により設定された運転の設定を消費エネルギ予測手段１０６および設定変更手段１０３へ入力する。環境情報検出手段１０７は室内外の環境情報を検出し、消費エネルギ予測手段１０６へ出力する。
【００４１】
そして、消費エネルギ予測手段１０６は、運転設定手段１０４から出力される空気調和機１００の運転のＯＮ／ＯＦＦ、設定室温、設定風量などの設定および環境情報検出手段１０７から出力される室内の空気温度、湿度などの環境情報から所定の時間内に消費するエネルギ量を予測し、設定変更手段１０３へ出力する。
【００４２】
設定変更手段１０３は、削減エネルギ量設定手段１０５から空気調和機１００の操作者により入力される消費エネルギの削減量と、運転設定手段１０４から空気調和機１００の操作者により設定される運転のＯＮ／ＯＦＦ、設定室温、設定風量などの空気調和機１００の運転の設定と、消費エネルギ予測手段１０６により予測される所定の時間内に消費するエネルギ量の情報と、を用いて、設定された空気調和機１００の運転を所定の時間実施した場合に消費するエネルギ量から設定された消費エネルギの削減量を引いた消費可能なエネルギ量で所定の時間運転するように所定の時間内の設定を決定し、能力制御装置１０２へ入力する。
【００４３】
次に、第３の実施形態に係る空気調和機における消費エネルギ削減を果たすための動作について説明する。図８において、空気調和機１００の操作者は運転設定手段１０４から空気調和機１００の運転を設定し、設定変更手段１０３がその設定値（入力値Ｔｕ）を読み込む（ステップ８０１）。次に、環境情報取検出手段１０７が室温などの環境情報を検出し、消費エネルギ予測手段１０６へ出力し、設定変更手段１０３がその設定値（入力値Ｔｋ）を読み込む（ステップ８０２）。次に、運転設定手段１０４からの設定および環境情報検出手段１０７からの出力から、消費エネルギ予測手段１０６が今後所定の時間、運転設定手段１０４からの出力の通りに運転した場合の消費エネルギ（Ｅ）を予測する（ステップ８０４）。次に、空気調和機１００の操作者は削減エネルギ量設定手段１０５から削減するエネルギ量を設定し、設定変更手段１０３がその設定値（入力値（ｅ））を読み込む（ステップ８０５）。
【００４４】
そして、設定変更手段１０３は、運転設定手段１０４により入力された空気調和機１００の運転の設定と、削減エネルギ量設定手段１０５により入力された削減するエネルギ量と、消費エネルギ量予測手段により予測された所定の時間内で消費するエネルギ量と、に基いて、空気調和機１００の運転の設定を変更し、変更した設定を能力制御装置１０２へ入力する（ステップ８０６）。変更した設定で所定の時間（たとえば３０分）運転した時点で、手順８０１へもどり、同様の動作を繰り返す。
【００４５】
例えば、冬季の室温が１０℃の日中に、操作者が室内機および室外機により構成される空気調和機１００を２４℃の設定室温、強風の設定風量で運転するように運転設定手段１０４に入力し、また、消費エネルギを３５％削減するように消費エネルギ削減に設定を入力した場合（図９示す空気調和機のリモコン表示部９０１を参照）、運転設定手段１０４からの２４℃の設定室温と強風の風量の設定と、環境情報検出手段１０７からの出力と、消費エネルギ予測手段１０６が予測する所定の時間（例えば３０分間）運転した場合に消費するエネルギ量が設定変更手段１０３に入力される。
【００４６】
設定変更手段１０３では、消費エネルギを３５％削減するように、始めの１０分間を２４℃の設定室温と強風の設定風量で運転し、次の１０分間を２２℃の設定室温と中風の設定風量で運転するよう変更し、更に次の１０分間を２０℃の設定室温と弱風の設定風量で運転するよう変更し、その変更した制御を能力制御装置１０２へ出力する。
【００４７】
このように、削減するエネルギ量を予め設定し、その設定に基づき今後３０分間の運転を設定するため、設定したエネルギ量を確実に削減することが可能となる。
【００４８】
また、人の温度変化の認知閾値は０．０１℃／秒であり、それより大きな変化率で設定室温を上昇させることで暖かさを感じることができ、また、それより小さな変化率で設定室温を下げることで、設定室温が下がっていることを感じさせずに、消費電力量を確実に削減することが可能となる。
【００４９】
さらに、図９に示すように、削減するエネルギ量を削減する割合で設定するため、空気調和機１００の消費電力量について詳しく知らない操作者であっても、削減するエネルギ量を簡単に設定することが可能である。
【００５０】
なお、図９に示すようなリモコン表示部９０１には、運転設定手段により入力する運転状態と、削減エネルギ量設定手段により設定する削減するエネルギ量と、消費エネルギ予測手段により予測する消費エネルギ量と、環境情報検出手段により検出する環境情報と、の内で必要とされる項目を表示する（少なくとも、削減エネルギ量や消費エネルギ量を表示するようにする）。所定の時間内（例えば１時間）に消費するエネルギ量（例えば、１０００Ｗｈ）が表示されることで、消費エネルギ量について詳しくない操作者などでも削減エネルギ量設定手段１０５により設定する削減するエネルギ量を詳細（例えば、図６に示す１００Ｗｈ）に設定することが可能となる。
【００５１】
また、図１１に示すように、空気調和機のリモコンの入力部１１０１は、運転設定手段により入力する運転状態と、削減エネルギ量設定手段により設定する削減するエネルギ量と、消費エネルギ予測手段により予測する消費エネルギ量と、環境情報検出手段により検出する環境情報と、の内で必要とされる項目を入力する部分を備えている。
【００５２】
「第４の実施形態」
本発明の第４の実施形態に係る空気調和機について、図１０を用いて以下説明する。第４の実施形態の特徴は、図７に示す構成例に対して、消費エネルギ予測量の履歴を格納したデータベース１０８（設定条件と環境条件とに基づいて過去に予測されて格納された消費エネルギ予測量のデータ）を付加することである。
【００５３】
第４の実施形態では、図１０に示すように、空気調和機１００の特性を記憶するデータベース１０８を加えることで、季節や時刻により室内の熱的な状態や空気質の状態が変化する場合など、空気調和機１００が運転する室内環境が複雑な場合においても削減する消費エネルギ量を確実に削減することが可能となる。換言すると、データベース１０８に格納された消費エネルギ予測量の履歴情報を利用することによって、消費エネルギ予測手段１０６による予測の演算が複雑にならずに済ませることができる。
【００５４】
また、第４の実施形態においても、既に説明したような、図６又は図９に示すリモコンの表示部を備え、図１１に示すリモコンの入力部１１０１を備えている。
【００５５】
「第５の実施形態」
本発明の第５の実施形態では、圧縮機を有する空気調和機を用いる場合に、消費エネルギ量を確実に削減することが可能となる。圧縮機を有する空気調和機の消費電力量の約９５％は圧縮機が消費する電力量であるため、圧縮機の消費電力量を削減することで空気調和機の消費電力量を削減することができる。
【００５６】
本実施形態では、削減エネルギ量設定手段１０５により設定される削減するエネルギ量の割合だけ圧縮機の回転数を低減させる。運転設定手段１０４により１分間に２０００回圧縮機が回転するような設定とし、削減エネルギ量設定手段１０５により消費エネルギを２０％削減する設定とした場合、３０分間の所定の時間内で運転設定手段１０４により設定された条件で運転した場合と比較して、２０％だけ消費エネルギを削減するように、圧縮機の回転数を始めの１０分間は１分間に２０００回、次の１０分間は１分間に１６００回、その次の１０分間は１分間に１２００回、回転するように、設定変更手段１０３は能力制御装置へ出力する。削減エネルギ量設定手段１０５により設定されたエネルギ量だけ消費エネルギを削減するよう圧縮機の回転数を変更することで、空気調和機の消費電力量を削減エネルギ量設定手段１０５により設定された分だけ消費エネルギを確実に削減することを可能とする。
【００５７】
「第６の実施形態」
本発明の第６の実施形態では、削減エネルギ量設定手段１０５により設定されたエネルギ量だけ消費エネルギを削減するように、空気調和機１００に入力される電流量を削減する。ここで、使用する空気調和機の種別に対応して、入力される電流量に代えて、入力電力量を削減することで（赤外線暖房器具でワット数を変更する）消費エネルギを削減してもよい。空気調和機１００に入力される電流量を削減することで、削減エネルギ量設定手段１０５により設定された分だけ消費エネルギを確実に削減することが可能となる。
【符号の説明】
【００５８】
１００  空気調和機
１０１  空気調和機本体
１０２  能力制御装置
１０３  設定変更手段
１０４  運転設定手段
１０５  削減エネルギ量設定手段
１０６  消費エネルギ予測手段
１０７  環境情報検出手段
１０８  データベース
６０１  表示部
９０１  表示部
１１０１  入力部
【図１】
2011007422.tif 000003
【図２】
2011007422.tif 000004
【図３】
2011007422.tif 000005
【図４】
2011007422.tif 000006
【図５】
2011007422.tif 000007
【図６】
2011007422.tif 000008
【図７】
2011007422.tif 000009
【図８】
2011007422.tif 000010
【図９】
2011007422.tif 000011
【図１０】
2011007422.tif 000012
【図１１】
2011007422.tif 000013